(57)【要約】    【課題】  鏡胴に照明用の発光素子を配置する場合の最適な構成を与えるものであり、照明用発光素子を鏡胴に配置して、しかも機構信頼性を低下させることなく、鏡胴の大型化を最小限にとどめる。    【解決手段】  第１群レンズ系１１、第２群レンズ系１２、第３群レンズ系１３、第４群レンズ系１４、ＬＰＦ１６、ＣＣＤ固体撮像素子１７は、物体側から順次配置され、第２群レンズ系１２と第３群レンズ系１３の間にシャッタユニット１５のシャッタ１５ａが配置されており、これらは、鏡胴１８内に支持収容されている。照明用発光素子としての照明用ＬＥＤ１９は、シャッタ１５ａを駆動するシャッタモータ１５ｂと一体的にシャッタユニット１５に設けられ、照明用ＬＥＤ１９の光は、ＬＥＤ照明用レンズ２０を介して被写体に照射される。ＬＥＤ・シャッタ配線用ＦＰＣ２１は、照明用ＬＥＤ１９への給電とシャッタモータ１５ｂに対する給電を行っている。【選択図】    図１
2006119546.tif 000002
【特許請求の範囲】
【請求項１】
被写体像を所定位置に結像させる撮影光学系と、
前記撮影光学系の光軸方向に沿って可動に構成され、少なくとも一つのアクチュエータを搭載している可動部と、
前記可動部上に配置した被写体を照明するための発光素子と
を具備することを特徴とする鏡胴ユニット。
【請求項２】
同じフレキシブルプリント基板上に前記アクチュエータ用の配線と前記発光素子用の配線とを備えることを特徴とする請求項１に記載の鏡胴ユニット。
【請求項３】
前記発光素子は、発光ダイオード（ＬＥＤ）であることを特徴とする請求項１または２に記載の鏡胴ユニット。
【請求項４】
前記アクチュエータは、絞りおよびシャッタの少なくとも一方を作動させるためのアクチュエータであることを特徴とする請求項１〜３のいずれか１項に記載の鏡胴ユニット。
【請求項５】
前記アクチュエータは、フォーカシング機構を作動させるためのアクチュエータであることを特徴とする請求項１〜３のいずれか１項に記載の鏡胴ユニット。
【請求項６】
前記アクチュエータは、ぶれ補正機構を作動させるためのアクチュエータであることを特徴とする請求項１〜３のいずれか１項に記載の鏡胴ユニット。
【請求項７】
前記可動部は、前記撮影光学系の変倍動作に伴って光軸方向に移動することを特徴とする請求項１〜６のいずれか１項に記載の鏡胴ユニット。
【請求項８】
撮影範囲が広くなる方向の前記撮影光学系の変倍動作に伴って、前記発光素子による被写体照明範囲も広くなるように構成したことを特徴とする請求項７に記載の鏡胴ユニット。
【請求項９】
請求項１〜８のいずれか１項の鏡胴ユニットを有することを特徴とするカメラ。
【請求項１０】
被写体像を所定位置に結像させる撮影光学系と、
前記撮影光学系の光軸方向に沿って可動に構成され、少なくとも一つのアクチュエータを搭載している可動部と、
前記可動部上に配置した被写体を照明するための発光素子と
を具備することを特徴とする画像入力装置。
【請求項１１】
同じフレキシブルプリント基板上に前記アクチュエータ用の配線と前記発光素子用の配線とを備えることを特徴とする請求項１０に記載の画像入力装置。
【請求項１２】
前記発光素子は、発光ダイオード（ＬＥＤ）であることを特徴とする請求項１０または１１に記載の画像入力装置。
【請求項１３】
前記アクチュエータは、絞りおよびシャッタの少なくとも一方を作動させるためのアクチュエータであることを特徴とする請求項１０〜１２に記載の画像入力装置。
【請求項１４】
前記アクチュエータは、フォーカシング機構を作動させるためのアクチュエータであることを特徴とする請求項１０〜１２のいずれか１項に記載の画像入力装置。
【請求項１５】
前記アクチュエータは、ぶれ補正機構を作動させるためのアクチュエータであることを特徴とする請求項１０〜１２のいずれか１項に記載の画像入力装置。
【請求項１６】
前記可動部は、前記撮影光学系の変倍動作に伴って光軸方向に移動することを特徴とする請求項１０〜１５のいずれか１項に記載の画像入力装置。
【請求項１７】
撮影範囲が広くなる方向の前記撮影光学系の変倍動作に伴って、前記発光素子による被写体照明範囲も広くなるように構成したことを特徴とする請求項１６に記載の画像入力装置。
【発明の詳細な説明】
【技術分野】
【０００１】
本発明は、いわゆるディジタルカメラ等のカメラを含む画像入力装置における被写体照明のための構造に係り、特に照明のための発光素子を鏡胴に配置した鏡胴ユニット、カメラおよび画像入力装置に関するものである。
【背景技術】
【０００２】
いわゆるディジタルカメラ等のカメラにおいて、ＬＥＤ（発光ダイオード）等の発光素子を用いて被写体を照明するようにしたものが考えられており、いくつかの例が、例えば、特許文献１（特開２００４−２２６５０９号公報）、特許文献２（特開２００３−２３３１０９号公報）、特許文献３（特開２００３−１０１８３６号公報）および特許文献４（特開２００２−２６２３０８号公報）等に開示されている。特許文献１には、ＬＥＤとレンズとを光軸方向に相対移動させることによりレンズから出射される光の照射角を変化させ得るズームストロボが開示されており、特許文献２には、鏡胴先端にＬＥＤストロボを設けることが開示されており、特許文献３には、レンズ近辺にＬＥＤストロボを設けることが開示されており、そして特許文献４には、多数の発光素子を鏡胴先端に配置することが開示されている。
【０００３】
これら特許文献１〜特許文献４に開示された技術のうち、照明のための発光素子を鏡胴に配置することが記載されているのは、特許文献２である。すなわち、特許文献２には、鏡胴の先端にＬＥＤストロボを配置することによって、マクロ撮影等の近接撮影においてもケラレがなく、光量ムラのないＬＥＤストロボによる照明装置を実現しようというものである。また、本出願人は、現時点では公知ではないが、特許文献５によって、鏡胴の先端にＬＥＤストロボを配置する技術であって、特許文献２とは異なる技術を提案している。
これら特許文献２および特許文献５のように、ＬＥＤストロボを鏡胴前面に配置するためには、鏡胴前面のＬＥＤストロボに対する電気的な配線が当然必要である。例えば、特許文献２においては、フレキシブルプリント基板（以下、「ＦＰＣ」と称する）によるＬＥＤストロボへの配線が明示されている（特許文献２の図２等を参照されたい）。従来より、鏡胴においては、シャッタ駆動用の配線等を同じようにＦＰＣで配線しており、この配線自体は技術的には、ある程度確立されている。
【０００４】
しかしながら、このような配線は、スペースを必要とするばかりでなく、僅かなずれやばらつきによって、鏡胴の故障を引き起こす原因となる場合が多く、極力減らすことが賢明である。すなわち、シャッタ用ＦＰＣが存在する鏡胴内にＬＥＤストロボ用ＦＰＣを混在させて引き回すことは、鏡胴全体の大型化につながるばかりでなく、市場問題の要因にもなりかねない。
従来のストロボのようなカメラボディに配置されるキセノン放電管等の発光管によるストロボと異なり、鏡胴前端から照明が可能なＬＥＤストロボは、撮影光軸とのパララックスが小さいかまたはほとんど無いため、マクロ撮影等において非常に有用である。しかしながら、現在、主流となっているディジタルカメラ等のカメラの鏡胴は、一般に沈胴構造等のような、収納機能を持つものが大半であり、鏡胴前端にＬＥＤを配置するためには、その電気配線をどうするかが非常に難しい問題となる。
【０００５】
具体的な一例を示せば、ズームレンズの鏡胴における短焦点広角端（ＷＩＤＥ端）および長焦点望遠端（ＴＥＬＥ端）の状態をそれぞれ図３および図４に示すように鏡胴を構成することになる。これら図３および図４には、第１群レンズ系１１１、第２群レンズ系１１２、第３群レンズ系１１３、第４群レンズ系１１４、シャッタユニット１１５、ローパスフィルタ（ＬＰＦ）１１６、ＣＣＤ（電荷結合素子）固体撮像素子１１７、鏡胴１１８、照明用ＬＥＤ１１９、ＬＥＤ照明用レンズ１２０、シャッタ配線用ＦＰＣ１２１およびＬＥＤ配線用ＦＰＣ１２２等が示されている。第１群レンズ系１１１、第２群レンズ系１１２、第３群レンズ系１１３、第４群レンズ系１１４、ＬＰＦ１１６、ＣＣＤ固体撮像素子１１７は、物体側から順次配置され、第２群レンズ系１１２と第３群レンズ系１１３の間にシャッタユニット１１５のシャッタ１１５ａが配置されており、これらは、鏡胴１１８内に支持収容されている。第１群レンズ系１１１は、最も物体側に対物レンズ１１１ａを有している。シャッタユニット１１５には、シャッタ１１５ａを駆動するためのシャッタモータ１１５ｂが設けられており、シャッタ配線用ＦＰＣ１２１は、主としてこのシャッタモータ１１５ｂに対する給電用である。照明用ＬＥＤ１１９の光は、ＬＥＤ照明用レンズ１２０を介して被写体に照射される。この照明用ＬＥＤ１１９は、ＬＥＤ配線用ＦＰＣ１２２を介して給電される。
【０００６】
すなわち、照明用ＬＥＤ１１９への給電にＬＥＤ配線用ＦＰＣ１２２を用いることになるが、このＬＥＤ配線用ＦＰＣ１２２の配設には、図示のように既存のシャッタ配線用ＦＰＣ１２１と場所を取り合うことになり、両ＦＰＣ１２１および１２２の適切な配置が非常に困難になるとともに、これらＦＰＣ１２１および１２２同士の相互干渉なども懸念される。
【０００７】
【特許文献１】特開２００４−２２６５０９号公報
【特許文献２】特開２００３−２３３１０９号公報
【特許文献３】特開２００３−１０１８３６号公報
【特許文献４】特開２００２−２６２３０８号公報
【特許文献５】特願２００４−８１４６４号
【発明の開示】
【発明が解決しようとする課題】
【０００８】
本発明は、上述した事情に鑑みてなされたもので、鏡胴に照明用の発光素子を配置する場合の最適な構成を与えるものであり、照明用発光素子を鏡胴に配置して、しかも機構信頼性を低下させることなく、鏡胴の大型化を最小限にとどめることを可能とする鏡胴ユニット、カメラおよび画像入力装置を提供することを目的としている。
本発明の請求項１および２の目的は、特に、鏡胴に配置する照明用発光素子に対する配線スペースが少なくて済み、動作時の信頼性を著しく増加させることが可能な鏡胴ユニットを提供することにある。
本発明の請求項３の目的は、特に、発光素子の鏡胴内への配置が容易で、配線の省スペース化を有効に活用し得る鏡胴ユニットを提供することにある。
本発明の請求項４の目的は、特に、構造を複雑化させることなく鏡胴内に照明用発光素子を配置することを可能とする鏡胴ユニットを提供することにある。
【０００９】
本発明の請求項５の目的は、特に、構造を複雑化させることなく鏡胴内に照明用発光素子を配置することを可能とする他の鏡胴ユニットを提供することにある。
本発明の請求項６の目的は、特に、構造を複雑化させることなく鏡胴内に照明用発光素子を配置することを可能とするその他の鏡胴ユニットを提供することにある。
本発明の請求項７の目的は、特に、少ない照明光量であっても各ズーム位置において有効に活用することを可能とする鏡胴ユニットを提供することにある。
本発明の請求項８の目的は、特に、少ない照明光量であっても各ズーム位置において有効に活用することを可能とする他の鏡胴ユニットを提供することにある。
本発明の請求項９の目的は、特に、鏡胴に配置する照明用発光素子に対する配線スペースが少なくて済み、動作時の信頼性を著しく増加させることが可能なカメラを提供することにある。
本発明の請求項１０および１１の目的は、特に、鏡胴に配置する照明用発光素子に対する配線スペースが少なくて済み、動作時の信頼性を著しく増加させることが可能な画像入力装置を提供することにある。
【００１０】
本発明の請求項１２の目的は、特に、発光素子の鏡胴内への配置が容易で、配線の省スペース化を有効に活用し得る画像入力装置を提供することにある。
本発明の請求項１３の目的は、特に、構造を複雑化させることなく鏡胴内に照明用発光素子を配置することを可能とする画像入力装置を提供することにある。
本発明の請求項１４の目的は、特に、構造を複雑化させることなく鏡胴内に照明用発光素子を配置することを可能とする他の画像入力装置を提供することにある。
本発明の請求項１５の目的は、特に、構造を複雑化させることなく鏡胴内に照明用発光素子を配置することを可能とするその他の画像入力装置を提供することにある。
本発明の請求項１６の目的は、特に、少ない照明光量であっても各ズーム位置において有効に活用することを可能とする画像入力装置を提供することにある。
本発明の請求項１７の目的は、特に、少ない照明光量であっても各ズーム位置において有効に活用することを可能とする他の画像入力装置を提供することにある。
【課題を解決するための手段】
【００１１】
請求項１に記載した本発明に係る鏡胴ユニットは、上述した目的を達成するために、
被写体像を所定位置に結像させる撮影光学系と、
前記撮影光学系の光軸方向に沿って可動に構成され、少なくとも一つのアクチュエータを搭載している可動部と、
前記可動部上に配置した被写体を照明するための発光素子と
を具備することを特徴としている。
請求項２に記載した本発明に係る鏡胴ユニットは、請求項１の鏡胴ユニットであって、同じフレキシブルプリント基板上に前記アクチュエータ用の配線と前記発光素子用の配線とを備えることを特徴としている。
請求項３に記載した本発明に係る鏡胴ユニットは、請求項１または２の鏡胴ユニットであって、前記発光素子が、ＬＥＤであることを特徴としている。
【００１２】
請求項４に記載した本発明に係る鏡胴ユニットは、請求項１〜３のいずれか１項の鏡胴ユニットであって、前記アクチュエータが、絞りおよびシャッタの少なくとも一方を作動させるためのアクチュエータであることを特徴としている。
【００１３】
請求項５に記載した本発明に係る鏡胴ユニットは、請求項１〜３のいずれか１項の鏡胴ユニットであって、前記アクチュエータが、フォーカシング機構を作動させるためのアクチュエータであることを特徴としている。
請求項６に記載した本発明に係る鏡胴ユニットは、請求項１〜３のいずれか１項の鏡胴ユニットであって、前記アクチュエータが、ぶれ補正機構を作動させるためのアクチュエータであることを特徴としている。
請求項７に記載した本発明に係る鏡胴ユニットは、請求項１〜６のいずれか１項の鏡胴ユニットであって、前記可動部が、前記撮影光学系の変倍動作に伴って光軸方向に移動することを特徴としている。
請求項８に記載した本発明に係る鏡胴ユニットは、請求項７の鏡胴ユニットであって、撮影範囲が広くなる方向の前記撮影光学系の変倍動作に伴って、前記発光素子による被写体照明範囲も広くなるように構成したことを特徴としている。
請求項９に記載した本発明に係るカメラは、上述した目的を達成するために、請求項１〜７のいずれか１項の鏡胴ユニットを有することを特徴としている。
【００１４】
請求項１０に記載した本発明に係る画像入力装置は、上述した目的を達成するために、
被写体像を所定位置に結像させる撮影光学系と、
前記撮影光学系の光軸方向に沿って可動に構成され、少なくとも一つのアクチュエータを搭載している可動部と、
前記可動部上に配置した被写体を照明するための発光素子と
を具備することを特徴としている。
請求項１１に記載した本発明に係る画像入力装置は、請求項１０の画像入力装置であって、同じフレキシブルプリント基板上に前記アクチュエータ用の配線と前記発光素子用の配線とを備えることを特徴としている。
請求項１２に記載した本発明に係る画像入力装置は、請求項１０の画像入力装置であって、前記発光素子が、ＬＥＤであることを特徴としている。
【００１５】
請求項１３に記載した本発明に係る画像入力装置は、請求項１０または請求項１０の画像入力装置であって、前記アクチュエータが、絞りおよびシャッタの少なくとも一方を作動させるためのアクチュエータであることを特徴としている。
請求項１４に記載した本発明に係る画像入力装置は、請求項１０〜１２のいずれか１項の画像入力装置であって、前記アクチュエータが、フォーカシング機構を作動させるためのアクチュエータであることを特徴としている。
請求項１５に記載した本発明に係る画像入力装置は、請求項１０〜１２のいずれか１項の画像入力装置であって、前記アクチュエータが、ぶれ補正機構を作動させるためのアクチュエータであることを特徴としている。
請求項１６に記載した本発明に係る画像入力装置は、請求項１０〜１５のいずれか１項の画像入力装置であって、前記可動部が、前記撮影光学系の変倍動作に伴って光軸方向に移動することを特徴としている。
請求項１７に記載した本発明に係る画像入力装置は、請求項１６の画像入力装置であって、撮影範囲が広くなる方向の前記撮影光学系の変倍動作に伴って、前記発光素子による被写体照明範囲も広くなるように構成したことを特徴としている。
【発明の効果】
【００１６】
本発明によれば、鏡胴に照明用の発光素子を配置する場合の最適な構成を与えるものであり、照明用発光素子を鏡胴に配置して、しかも機構信頼性を低下させることなく、鏡胴の大型化を最小限にとどめることを可能とする鏡胴ユニット、カメラおよび画像入力装置を提供することができる。
すなわち本発明の請求項１の鏡胴ユニットによれば、被写体像を所定位置に結像させる撮影光学系と、前記撮影光学系の光軸方向に沿って可動に構成され、少なくとも一つのアクチュエータを搭載している可動部と、前記可動部上に配置した被写体を照明するための発光素子とを具備することにより、特に、鏡胴に配置する照明用発光素子に対する配線スペースが少なくて済み、動作時の信頼性を著しく増加させることが可能となる。
【００１７】
本発明の請求項２の鏡胴ユニットによれば、請求項１の鏡胴ユニットにおいて、同じフレキシブルプリント基板上に前記アクチュエータ用の配線と前記発光素子用の配線とを備えることにより、余計なスペースや複雑な構成を要さずに、発光素子までの電源供給を可能とすることができる。
本発明の請求項３の鏡胴ユニットによれば、請求項１または２の鏡胴ユニットにおいて、前記発光素子が、ＬＥＤであることにより、特に、発光素子の鏡胴内への配置が容易で、配線の省スペース化を有効に活用することが可能となる。
本発明の請求項４の鏡胴ユニットによれば、請求項１〜３のいずれか１項の鏡胴ユニットにおいて、前記アクチュエータが、絞りおよびシャッタの少なくとも一方を作動させるためのアクチュエータであることにより、特に、構造を複雑化させることなく鏡胴内に照明用発光素子を配置することが可能となる。
本発明の請求項５の鏡胴ユニットによれば、請求項１〜３のいずれか１項の鏡胴ユニットにおいて、前記アクチュエータが、フォーカシング機構を作動させるためのアクチュエータであることにより、特に、構造を複雑化させることなく鏡胴内に照明用発光素子を配置することが可能となる。
【００１８】
本発明の請求項６の鏡胴ユニットによれば、請求項１〜３のいずれか１項の鏡胴ユニットにおいて、前記アクチュエータが、ぶれ補正機構を作動させるためのアクチュエータであることにより、特に、構造を複雑化させることなく鏡胴内に照明用発光素子を配置することが可能となる。
本発明の請求項７の鏡胴ユニットによれば、請求項１〜６のいずれか１項の鏡胴ユニットにおいて、前記可動部が、前記撮影光学系の変倍動作に伴って光軸方向に移動することにより、特に、少ない照明光量であっても各ズーム位置において有効に活用することが可能となる。
本発明の請求項８の鏡胴ユニットによれば、請求項７の鏡胴ユニットにおいて、撮影範囲が広くなる方向の前記撮影光学系の変倍動作に伴って、前記発光素子による被写体照明範囲も広くなるように構成することにより、特に、少ない照明光量であっても各ズーム位置において有効に活用することが可能となる。
また、本発明の請求項９のカメラによれば、請求項１〜８のいずれか１項の鏡胴ユニットを有する構成により、特に、鏡胴に配置する照明用発光素子に対する配線スペースが少なくて済み、動作時の信頼性を著しく増加させることが可能となる。
【００１９】
そして、本発明の請求項１０の画像入力装置によれば、被写体像を所定位置に結像させる撮影光学系と、前記撮影光学系の光軸方向に沿って可動に構成され、少なくとも一つのアクチュエータを搭載している可動部と、前記可動部上に配置した被写体を照明するための発光素子とを具備することにより、特に、鏡胴に配置する照明用発光素子に対する配線スペースが少なくて済み、動作時の信頼性を著しく増加させることが可能となる。
本発明の請求項１１の画像入力装置によれば、請求項１０の画像入力装置において、同じフレキシブルプリント基板上に前記アクチュエータ用の配線と前記発光素子用の配線とを備えることにより、余計なスペースや複雑な構成を要さずに発光素子まで電源を供給することが可能となる。
本発明の請求項１２の画像入力装置によれば、請求項１０または１１の画像入力装置において、前記発光素子が、ＬＥＤであることにより、特に、発光素子の鏡胴内への配置が容易で、配線の省スペース化を有効に活用することが可能となる。
【００２０】
本発明の請求項１３の画像入力装置によれば、請求項９または請求項１０の画像入力装置において、前記アクチュエータが、絞りおよびシャッタの少なくとも一方を作動させるためのアクチュエータであることにより、特に、構造を複雑化させることなく鏡胴内に照明用発光素子を配置することが可能となる。
本発明の請求項１４の画像入力装置によれば、請求項１０〜１２のいずれか１項の画像入力装置において、前記アクチュエータが、フォーカシング機構を作動させるためのアクチュエータであることにより、特に、構造を複雑化させることなく鏡胴内に照明用発光素子を配置することが可能となる。
本発明の請求項１５の画像入力装置によれば、請求項１０〜１２のいずれか１項の画像入力装置において、前記アクチュエータが、ぶれ補正機構を作動させるためのアクチュエータであることにより、特に、構造を複雑化させることなく鏡胴内に照明用発光素子を配置することが可能となる。
【００２１】
本発明の請求項１６の画像入力装置によれば、請求項１０〜１５のいずれか１項の画像入力装置において、前記可動部が、前記撮影光学系の変倍動作に伴って光軸方向に移動することにより、特に、少ない照明光量であっても各ズーム位置において有効に活用することが可能となる。
本発明の請求項１７の画像入力装置によれば、請求項１６の画像入力装置において、撮影範囲が広くなる方向の前記撮影光学系の変倍動作に伴って、前記発光素子による被写体照明範囲も広くなるように構成することにより、特に、少ない照明光量であっても各ズーム位置において有効に活用することが可能となる。
【発明を実施するための最良の形態】
【００２２】
以下、本発明の実施の形態に基づき、図面を参照して本発明の鏡胴ユニットを詳細に説明する。
図１および図２は、本発明の一つの実施の形態に係る鏡胴ユニットの要部の構成を示している。図１は、短焦点広角端（ＷＩＤＥ端）における鏡胴ユニットの要部の構成を模式的に示す概略的断面図、そして図２は、長焦点望遠端（ＴＥＬＥ端）における鏡胴ユニットの要部の構成を模式的に示す概略的断面図である。
本実施の形態に係る鏡胴ユニットは、シャッタユニットと同じ構造体上に被写体照明用発光素子としてのＬＥＤを一体的に配置し、シャッタユニットの配線と共通のＦＰＣ上に照明用ＬＥＤのための配線も配設することにより、余分なスペースや複雑な構成を要することなく、ＬＥＤへの給電を可能としている。
【００２３】
図１および図２に示す鏡胴ユニットは、第１群レンズ系１１、第２群レンズ系１２、第３群レンズ系１３、第４群レンズ系１４、シャッタユニット１５、ローパスフィルタ（ＬＰＦ）１６、ＣＣＤ（電荷結合素子）固体撮像素子１７、鏡胴１８、照明用ＬＥＤ１９、ＬＥＤ照明用レンズ２０およびＬＥＤ・シャッタ配線用ＦＰＣ２１を具備している。これらのうちの第１群レンズ系１１、第２群レンズ系１２、第３群レンズ系１３、第４群レンズ系１４、シャッタユニット１５、ＬＰＦ１６、ＣＣＤ固体撮像素子１７、鏡胴１８、照明用ＬＥＤ１９およびＬＥＤ照明用レンズ２０は、それぞれ、図３および図４における従来の第１群レンズ系１１１、第２群レンズ系１１２、第３群レンズ系１１３、第４群レンズ系１１４、シャッタユニット１１５、ＬＰＦ１１６、ＣＣＤ固体撮像素子１１７、鏡胴１１８、照明用ＬＥＤ１１９およびＬＥＤ照明用レンズ１２０にほぼ相当する。
【００２４】
第１群レンズ系１１、第２群レンズ系１２、第３群レンズ系１３、第４群レンズ系１４、ＬＰＦ１６、ＣＣＤ固体撮像素子１７は、物体側から順次配置され、第２群レンズ系１２と第３群レンズ系１３の間にシャッタユニット１５のシャッタ１５ａが配置されており、これらは、鏡胴１８内に支持収容されている。第１群レンズ系１１は、最も物体側に対物レンズ１１ａを有している。シャッタユニット１５には、シャッタ１５ａを駆動するためのシャッタモータ１５ｂが設けられている。照明用発光素子としての照明用ＬＥＤ１９は、シャッタモータ１５ｂと一体的にシャッタユニット１５に設けられており、照明用ＬＥＤ１９の光は、ＬＥＤ照明用レンズ２０を介して被写体に照射される。ＬＥＤ・シャッタ配線用ＦＰＣ２１は、照明用ＬＥＤ１９への給電とシャッタモータ１５ｂに対する給電を行っている。
【００２５】
すなわち、本実施例に係る鏡胴ユニットにおいては、照明用ＬＥＤ１９は、シャッタユニット１５上に一体的に配置されている。このようにすることにより、シャッタ配線用のＦＰＣ上に照明用ＬＥＤ１９のための配線も一緒に配設してＬＥＤ・シャッタ配線用ＦＰＣ２１として構成することが可能となる。したがって、配線スペースが少なくて済み、しかも動作時の信頼性を各段に向上させることが可能となる（請求項１、請求項８および請求項９に対応する）。また、もともとシャッタユニット１５は鏡胴ユニットにおいて必然的に設けられるユニットであるため、照明用発光素子としての照明用ＬＥＤ１９の追加によって構造をことさら複雑化させることもなく、鏡胴１８に照明用ＬＥＤ１９を用いた照明手段を配設することが可能である。
また、本実施例に係る鏡胴ユニットにおいては、照明用発光素子としてＬＥＤを用いて照明用ＬＥＤ１９を構成している。従来一般的であったキセノン放電管のようなストロボ発光管等よりも格段に小さいＬＥＤを被写体の照明に用いることにより、鏡胴１８への照明手段の配設が容易になるばかりでなく、配線を省スペース化したメリットをそのまま活かすことが可能となる（つまり、配線を省スペース化しても、照明手段が多くのスペースを占有してしまうと、鏡胴１８の大きさに対して本願発明によるメリットが生じない）。
【００２６】
さらに、本実施例に係る鏡胴ユニットにおいては、シャッタユニット１５が鏡胴１８の変倍動作に伴って光軸方向に沿って相対的に移動し、鏡胴１８の前端との相対的な位置関係が変化することを利用して、照明用ＬＥＤ１９による照明光の照射範囲が、変倍動作に追従して変化するように構成している。このようにすることによって、照明用ＬＥＤ１９の少ない光量を、ズーミングにおける各ズーム位置において有効に活用することが可能となる。もちろん、この場合の照明光の変倍動作は、第１群レンズ系１１〜第４群レンズ系１４からなる光学系の変倍動作に完全に追従し、光学系が３倍ズームの場合は、照明用ＬＥＤ１９による照明も３倍ズームとすることが望ましいが、厳密に追従しきれなくとも、それなりの効果を得ることは可能である。すなわち、この照明用ＬＥＤ１９による照射光のズーミングは、撮影光学系の光学設計に依存するので、光学系のズーミングに照射光の照射野をある程度追随させることができれば、実用上有意義であることは確かである。
【００２７】
以上、本発明に係る鏡胴ユニットの一つの実施の形態について説明したが、シャッタユニット１５ではなく、フォーカシングに係るフォーカスユニットやその他の可動ユニットと一体的に照明用ＬＥＤを配置するようにしても良い。
また、鏡胴の構成によっては、可動枠にモータが一体的に保持されており、そのモータの動作によりその可動枠自体または他の可動枠を駆動するような機構を有するものがある。このような場合は、モータを保持している可動枠には、当然配線が施されているので、その配線用のＦＰＣ上にＬＥＤ配線を配設してしまえば、上述した実施の形態と同様、鏡胴の構造を複雑化せずにＬＥＤのための配線をすることが可能である。
また、近年採用されつつある手ぶれ補正ユニットを保持する可動枠に照明用ＬＥＤを一体的に保持させれば、上述と同様に構成を複雑化することなくＬＥＤのための配線をすることが可能である。
さらに、上述においては、鏡胴ユニットについて説明したが、同様の鏡胴ユニットを具備して構成されるディジタルカメラ等のカメラについても同様にして実施し得ることは言うまでもない。さらに、カメラのみならず種々の画像入力装置に同様の構成を適用しても良く、その際、鏡胴ユニットとして独立した構成を有していなくとも、実質的に同様の鏡胴構造を有していればよい。
なお、本発明は、上述し且つ図面に示す実施の形態に限定されることなく、その要旨を変更しない範囲内で種々変形して実施することが可能である。
【図面の簡単な説明】
【００２８】
【図１】本発明の一つの実施の形態に係る鏡胴ユニットの要部の短焦点広角端（ＷＩＤＥ端）における構成を模式的に示す断面図である。
【図２】図１の鏡胴ユニットの要部の長焦点望遠端（ＴＥＬＥ端）における構成を模式的に示す断面図である。
【図３】従来の一例に係る鏡胴ユニットの要部の短焦点広角端（ＷＩＤＥ端）における構成を模式的に示す断面図である。
【図４】図３の鏡胴ユニットの要部の長焦点望遠端（ＴＥＬＥ端）における構成を模式的に示す断面図である。
【符号の説明】
【００２９】
１１  第１群レンズ系
１１ａ  対物レンズ
１２  第２群レンズ系
１３  第３群レンズ系
１４  第４群レンズ系
１５  シャッタユニット
１５ａ  シャッタ
１５ｂ  シャッタモータ
１６  ローパスフィルタ（ＬＰＦ）
１７  ＣＣＤ（電荷結合素子）固体撮像素子
１８  鏡胴
１９  照明用ＬＥＤ（発光ダイオード）
２０  ＬＥＤ照明用レンズ
２１  ＬＥＤ・シャッタ配線用ＦＰＣ（フレキシブルプリント基板）
【図１】
2006119546.tif 000003
【図２】
2006119546.tif 000004
【図３】
2006119546.tif 000005
【図４】
2006119546.tif 000006